(57)【要約】【課題】  フィルタ効果処理の効果を簡単に確認することができる。【解決手段】  画像効果処理支援装置は、画像に対して特定の画像効果処理を施す画像効果処理部と、上記画像の各部について上記特定の画像効果処理の効果を判定し、判定結果に基づいて上記画像効果処理の効果を確認するための確認領域を判定して設定する確認領域判定部と、上記確認領域における上記画像効果処理の効果を示す効果表示を表示部に表示する表示制御部と、を具備する。【選択図】図１
2017005626.tif 000002
【特許請求の範囲】
【請求項１】
画像に対して特定の画像効果処理を施す画像効果処理部と、
上記画像の各部について上記特定の画像効果処理の効果を判定し、判定結果に基づいて上記画像効果処理の効果を確認するための確認領域を判定して設定する確認領域判定部と、
上記確認領域における上記画像効果処理の効果を示す効果表示を表示部に表示する表示制御部と、
を具備したことを特徴とする画像効果処理支援装置。
【請求項２】
上記確認領域判定部は、上記画像効果処理前の画像、上記画像効果処理後の画像及び上記画像効果処理前後の各画像に基づいて、上記確認領域を判定する
ことを特徴とする請求項１に記載の画像効果処理支援装置。
【請求項３】
上記確認領域判定部は、上記画像中の露出レベルが所定の範囲内の領域を上記確認領域と判定する
ことを特徴とする請求項１に記載の画像効果処理支援装置。
【請求項４】
上記確認領域判定部は、上記画像効果処理前の画像中のコントラストが所定の閾値よりも小さい領域を上記確認領域と判定する
ことを特徴とする請求項１に記載の画像効果処理支援装置。
【請求項５】
上記確認領域判定部は、上記画像効果処理後の画像中のコントラストピークの数が所定の閾値よりも大きい領域を上記確認領域と判定する
ことを特徴とする請求項１に記載の画像効果処理支援装置。
【請求項６】
上記確認領域判定部は、上記画像効果処理前後の各画像の同一部分におけるコントラストのピークの数の差又は比が所定の閾値よりも大きい領域を上記確認領域と判定する
ことを特徴とする請求項１に記載の画像効果処理支援装置。
【請求項７】
上記確認領域判定部は、所定の面積よりも大きい面積の領域を上記確認領域と判定する
ことを特徴とする請求項３乃至６のいずれか１つに記載の画像効果処理支援装置。
【請求項８】
上記確認領域判定部は、画面中央の領域、オートフォーカスポイント又はユーザ操作によって指定された領域を上記確認領域と判定する
ことを特徴とする請求項１に記載の画像効果処理支援装置。
【請求項９】
上記表示制御部は、上記確認領域における画質と同一の画質の画像を用いて上記効果表示を表示する
ことを特徴とする請求項１乃至８のいずれか１つに記載の画像効果処理支援装置。
【請求項１０】
上記表示制御部は、上記画像効果処理の設定を変更するための調整表示を表示する
ことを特徴とする請求項１乃至９のいずれか１つに記載の画像効果処理支援装置。
【請求項１１】
上記表示制御部は、上記確認領域について上記画像効果処理の設定を変更した場合に得られる画像の画質を示す表示を含む上記調整表示を表示する
ことを特徴とする請求項１０に記載の画像効果処理支援装置。
【請求項１２】
変位部材の変位によって上記画像効果処理の設定の変更を指示する操作部を具備し、
上記表示制御部は、上記確認領域について上記画像効果処理の設定を複数変更した場合にそれぞれ得られる複数の画像の画質を示す各表示を、上記操作部の上記変位部材の変位方向に対応させて配置した上記調整表示を表示する
ことを特徴とする請求項１０に記載の画像効果処理支援装置。
【請求項１３】
画像に対して特定の画像効果処理を施す画像効果処理ステップと、
上記画像の各部について上記特定の画像効果処理の効果を判定し、判定結果に基づいて上記画像効果処理の効果を確認するための確認領域を判定して設定する確認領域判定ステップと、
上記確認領域における上記画像効果処理の効果を示す効果表示を表示部に表示する表示ステップと、
を具備したことを特徴とする画像効果処理支援方法。
【請求項１４】
コンピュータに、
画像に対して特定の画像効果処理を施す画像効果処理ステップと、
上記画像の各部について上記特定の画像効果処理の効果を判定し、判定結果に基づいて上記画像効果処理の効果を確認するための確認領域を判定して設定する確認領域判定ステップと、
上記確認領域における上記画像効果処理の効果を示す効果表示を表示部に表示する表示ステップと、
を実行させるための画像効果処理支援プログラム。
【発明の詳細な説明】
【技術分野】
【０００１】
本発明は、画像に様々な特殊効果処理（フィルタ効果処理）を付加した撮影が可能な撮影機器に好適な画像効果処理支援装置、画像効果処理支援方法及び画像効果処理支援プログラムに関する。
【背景技術】
【０００２】
近年、デジタルカメラなどの撮影機能付き携帯機器（撮影機器）が普及している。この種の撮影機器においては表示部を有して、撮影画像を表示する機能を有するものもある。更に、表示部にメニュー画面を表示して、撮影機器の操作を容易にしたものもある。
【０００３】
また、撮像画像に対して、所定のフイルタ効果処理を適用する撮影モードを備えた撮影機器も開発されている。例えば、所定のフィルタ効果処理を撮像画像に施すことで、被写体に撮影者のこだわりを付与したり、それを明瞭に表示する等の各種画像処理が可能である。
【０００４】
ところで、銀塩写真においては、使用する銀塩フィルムの銀粒子の特性等に応じて写真画質の粗さが変化し、表面のざらついた感じ（以下、粒状感という）が大きくなることがある。粒状感は、銀粒子のサイズが大きい程大きく感じられるのが一般的である。粒状感は、被写体の存在感や質感を向上させる等の表現上の利点があり、特にモノクロ画像において有効な場合がある。デジタルカメラにおいても、フィルタ効果処理によって、撮像画像にこのような粒状感を付加することが可能であり、これにより、画像効果を向上させることができる。
【０００５】
例えば、特許文献１においては、撮影条件設定ダイヤルにより銀塩カメラの撮影条件や現像条件を任意に設定して銀塩カメラで撮影したのとほぼ同じ写真が得られるような画像データを生成する技術が開示されている。特許文献１の装置では、ノイズコントロールダイヤルにより粒状性ノイズの付与率を設定するようにしておいて銀塩カメラで撮影して得た写真の粒状感を表わす粒状性データを画像データに重畳し、その画像データを基に画像を得ることができるようになっている。
【先行技術文献】
【特許文献】
【０００６】
【特許文献１】特開２００７−１９６１７号公報
【発明の概要】
【発明が解決しようとする課題】
【０００７】
しかしながら、装置の背面に設けた表示画面に表示される画像では、その表示面積や外光の影響等によって粒状性ノイズの効果は確認しづらく、撮影のまさにその時、その対象物を撮影するのに、ユーザにとって粒状性ノイズを付加した方がよいか否か、また、粒状性ノイズをどの程度付加すれば良いか等の判断は容易ではない。このため、ユーザにとって、粒状感を付加するフィルタ効果処理は効果の見極めに経験が必要であった。なお、粒状感を付加するフィルタ処理に限らず、フィルタ効果処理の種類によっては、その効果の判断等が容易でないものもある。
【０００８】
本発明は、様々な特殊効果処理の効果を付与した場合にその効果を簡単に確認することができる画像効果処理支援装置、画像効果処理支援方法及び画像効果処理支援プログラムを提供することを目的とする。
【課題を解決するための手段】
【０００９】
本発明に係る画像効果処理支援装置は、画像に対して特定の画像効果処理を施す画像効果処理部と、上記画像の各部について上記特定の画像効果処理の効果の視認性など確認の容易さを判定し、判定結果に基づいて上記画像効果処理の効果を確認するための確認領域を判定して設定する確認領域判定部と、上記確認領域における上記画像効果処理の効果を示す効果表示を表示部に表示する表示制御部と、を具備する。
【００１０】
また、本発明に係る画像効果処理支援方法は、画像に対して特定の画像効果処理を施す画像効果処理ステップと、上記画像の各部について上記特定の画像効果処理の効果を判定し、判定結果に基づいて上記画像効果処理の効果を確認するための確認領域を判定して設定する確認領域判定ステップと、上記確認領域における上記画像効果処理の効果を示す効果表示を表示部に表示する表示ステップと、を具備する。
【００１１】
また、本発明に係る画像効果処理支援プログラムは、コンピュータに、画像に対して特定の画像効果処理を施す画像効果処理ステップと、上記画像の各部について上記特定の画像効果処理の効果を判定し、判定結果に基づいて上記画像効果処理の効果を確認するための確認領域を判定して設定する確認領域判定ステップと、上記確認領域における上記画像効果処理の効果を示す効果表示を表示部に表示する表示ステップと、を実行させる。
【発明の効果】
【００１２】
本発明によれば、フィルタ効果処理の効果を簡単に確認することができるという効果を有する。
【図面の簡単な説明】
【００１３】
【図１】本発明の一実施の形態に係る画像効果処理支援装置が組み込まれた撮影機器の回路構成を示すブロック図。
【図２】図１の撮影機器の外観の一例を示す説明図。
【図３】横軸に画面水平位置をとり縦軸にレベルをとって、粒状性ノイズによる粒状感の効果を説明するための説明図。
【図４】横軸に入力像信号レベルをとり縦軸に出力像信号レベルをとってγ補正を示すグラフ。
【図５】実施の形態の動作を説明するためのフローチャート。
【図６】撮影の様子を説明するための説明図。
【図７】図５中のステップＳ６における粒状感確認領域の設定フローの一例を示すフローチャート。
【図８】粒状撮影モード時の画面表示を説明するための説明図。
【図９】画面表示の表示例を示す説明図。
【図１０】粒度の調整操作に対応した粒状性ノイズを示す説明図。
【図１１】粒状撮影モードにおいて粒度を変化させた場合の画像を説明するための説明図。
【図１２】変形例を示す説明図。
【発明を実施するための形態】
【００１４】
以下、図面を参照して本発明の実施の形態について詳細に説明する。
【００１５】
図１は本発明の一実施の形態に係る画像効果処理支援装置が組み込まれた撮影機器の回路構成を示すブロック図である。また、図２は図１の撮影機器の外観の一例を示す説明図である。
【００１６】
本実施の形態は撮像時に撮像画像に粒状感を付与する特殊効果画像処理撮影（フィルタ）モード（以下、粒状撮影モードという）におけるスルー画表示において、撮像画像中の粒状感が際立つ部分のように粒状感の効果を確認しやすい領域等の領域を粒状感確認領域に設定して、当該粒状感確認領域における粒状感の効果をユーザに容易に手際よく視認性よく迅速に確認させることを可能にするものである。また、本実施の形態は、ユーザに直感的な操作で粒状感を増減させる程度（以下、粒度という）を変更可能にさせると共に、変更後の粒状感の効果をユーザが確認できるようにすることで、効果的な粒状感の設定を行えるようにするものである。
【００１７】
粒状撮影モードは、例えばランダムノイズ等の所定の信号（以下、粒状性ノイズという）や例えば曇りガラス等の粒状のパターン（以下、粒状性パターンという）等を撮像画像に加えるモードであり、銀塩写真における銀粒子の特性に応じた粒状感と同様の粒状感を得るものである。銀塩写真では、銀粒子の大きさ等に応じた粒度が得られるので、選んだフィルム感度によって粒状感が異なる。これによって個性的な表現を行う作家もいた。これに倣って、粒状撮影モードにおいては、粒状性ノイズの振幅及び周波数、粒状性パターンの振幅（コントラスト）及び空間周波数を変化させて粒度を変化させる。例えば、一般的には、粒状性ノイズ及び粒状性パターンの振幅及び周期が大きい程、粒度は大きくなる。こうした特性を利用することで、撮影画像に個性的な表現を与えることが出来る。
【００１８】
また、画像表面のざらつきの感じを変化させるために、粒状性ノイズ又は粒状性パターンを撮像画像に付加する例を説明するが、画像の質感を変化させるものとしては、単なるドットだけでなく、所定の模様等であってもよく、このような模様を含むパターン等を撮像画像に付加するようにしてもよい。以下の説明では、撮像画像に粒状性ノイズを付加する例について言及しているが、粒状性パターンや所定模様のパターンを付加する場合にも同様に適用可能である。
【００１９】
ところで、撮像画像全体に同一の粒状性ノイズを加えた場合でも、得られる粒状感は画面全体で均一ではない。例えば、粒状性ノイズとしてランダムノイズを画像信号に一様に加えるものとする。なお、ランダムノイズは、レベル等はランダムに変化するが、平均的なレベルは一定であるものとする。
【００２０】
図３は横軸に画面水平位置をとり縦軸にレベルをとって、粒状性ノイズによる粒状感の効果を説明するための説明図である。図３（ａ）は粒状感を付与する撮像画像を示し、図３（ｂ）は粒状性ノイズであるランダムノイズを示し、図３（ｃ）は粒状性ノイズが付加された撮像画像（合成画像）の粒状感確認領域における像信号を示している。
【００２１】
図３（ａ）に示す撮像画像は、画面左端側において像信号のレベルが高く白飛びが生じており、画面中央において比較的細かい絵柄部分があり、この絵柄部分から画面右側に向かってレベルがなだらかに変化する部分があり、画面右端は、像信号のレベルが低く黒つぶれしている。粒状撮影モードにおいて、図３（ａ）に示す撮像画像に図３（ｂ）に示す粒状性ノイズを加える。
【００２２】
白飛びが生じている部分に粒状性ノイズを加えても白飛びの状態は変化しないので、この部分からは粒状感は得られない。また、黒つぶれしている部分に粒状性ノイズを加えても黒つぶれの状態は変化しないので、この部分からも粒状感は得られない。また、細かい絵柄部分は粒状性ノイズの影響を受けるが、画像の絵柄によって、粒状性ノイズによる画像の変化は確認しにくい。つまり、細かい絵柄部分では粒状性ノイズの効果は比較的小さい。
【００２３】
これに対し、白飛び及び黒つぶれが生じておらず、且つ、像信号のレベルが一定又はなだらかに変化する部分については、図３（ｃ）に示すように、粒状性ノイズは、なだらかに変化する信号に付加されて視認性が良く、画面上で目立ち、粒状感の効果が比較的高い。このように、画像に一様に粒状性ノイズを加えた場合でも、画像の部分毎の特徴等によって粒状感の効果は一様ではない。粒状感の効果が比較的小さい部分においては、粒状感の効果の確認は容易ではなく、ユーザが効果的な設定を行うことができないことが考えられる。そこで、本実施の形態においては、例えば、画像中から粒状感が際立つ粒状感確認領域を判定し、粒状感確認領域における粒状感の効果を示す表示（以下、粒状感効果表示という）を表示するようになっている。
【００２４】
なお、後述するように、ユーザが粒状感の効果を確認するために指定した画像中の領域（以下、粒状感確認指定領域という）を粒状感確認領域に設定して粒状感効果表示を表示するようにしてもよい。
【００２５】
図１において、撮影機器１０には、前面に撮像部１２が設けられている。撮像部１２は、ＣＣＤやＣＭＯＳセンサ等の撮像素子によって構成された撮像素子１２ｂを有している。また、撮像部１２は、撮像素子１２ｂに被写体光学像を導くレンズ部１２ａを有している。レンズ部１２ａは、ズームやフォーカシングのための図示しないレンズ等を備えており、これらのレンズは画像処理制御部１１によって駆動制御されるようになっている。撮像部１２は、画像処理制御部１１によって、ピント位置、ズーム位置及び絞り等が制御される。撮像素子１２ｂは、レンズ部１２ａからの被写体光学像を光電変換して撮影画像を得る。
【００２６】
画像処理制御部１１は、例えば、図示しないＣＰＵ等のプロセッサによって構成されて、メモリに記憶されたプログラムに従ってカメラ制御を行うものであってもよい。画像処理制御部１１は、撮像部１２に撮像素子の駆動信号を出力してシャッタースピード、露光時間等を制御すると共に、撮像部１２からの撮影画像を読み出す。画像処理制御部１１は、読み出した撮影画像に対して、所定の信号処理、例えば、色調整処理、マトリックス変換処理、ノイズ除去処理、その他各種の信号処理を行う。
【００２７】
撮影機器１０の各回路は図２の筐体１０ａ内に収納される。筐体１０ａの前面側には、レンズ部１２ａが配置されている。レンズ部１２ａの周囲にはリング操作部２１が配設されている。また、筐体１０ａの上面にはシャッタボタン２２及び２つのダイヤル操作部２３ａ，２３ｂが配設されている。
【００２８】
図１において、操作部１３は、これらのリング操作部２１、シャッタボタン２２及びダイヤル操作部２３ａ，２３ｂや図示しないファンクションボタンや撮影モード設定等の各種スイッチ等を含む。画像処理制御部１１中の操作判定部１１ｂは、これらの操作部１３からユーザ操作に基づく操作信号が与えられて、ユーザ操作の内容を判定するようになっている。画像処理制御部１１は、操作判定結果に基づいて、各部を制御する。
【００２９】
画像処理制御部１１は、撮像画像の記録及び再生に関する処理を行うことができる。例えば、画像処理制御部１１は、信号処理後の撮影画像を圧縮処理し、圧縮後の画像を記録部１４に与えて記録させることができる。記録部１４としては、例えばカードインターフェースを採用することができ、記録部１４はメモリカード等の記録媒体に画像情報及び音声情報等を記録可能である。
【００３０】
画像処理制御部１１の表示制御部１１ａは表示に関する各種処理を実行する。表示制御部１１ａは、信号処理後の撮影画像を背面表示部１６及びファインダ表示部（Ｆ表示部）１７に与えることができる。表示部１６，１７は、ＬＣＤ等の表示画面を有しており、表示制御部１１ａから与えられた画像を表示する。また、表示制御部１１ａは、各種メニュー表示等を表示部１６，１７の表示画面に表示させることもできるようになっている。
【００３１】
画像処理制御部１１は、記録部１４に記録されている撮像画像を読み出して伸張処理することができる。表示制御部１１ａは伸張処理された撮像画像を表示部１６，１７に与えることで、記録画像の再生が可能である。
【００３２】
背面表示部１６は、後述するように、撮像画像を表示する表示画面１６ｂを有している。また、表示画面１６ｂ上には、タッチパネル１６ａが設けられている。タッチパネル１６ａは、ユーザが指で指し示した表示画面１６ｂ上の位置に応じた操作信号を発生することができる。この操作信号は、画像処理制御部１１に供給される。これにより、画像処理制御部１１の操作判定部１１ｂは、ユーザが表示画面１６ｂ上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができる。これにより、画像処理制御部１１はユーザのタッチパネル操作に対応した処理を実行することができるようになっている。
【００３３】
なお、背面表示部１６は、撮影機器１０の筐体１０ａの例えば背面の略全域を占めるように配設されており、撮影者は、撮影時に背面表示部１６の表示画面１６ｂ上に表示されたスルー画を確認することができ、スルー画を確認しながら撮影操作を行うこともできる。
【００３４】
一方、Ｆ表示部１７は、筐体１０ａの上面に設けたファインダ部１７ａに収納されている。ファインダ部１７ａの近傍にはアイセンサ１８が設けられており、アイセンサ１８は、ユーザが目をファインダ部１７ａに近接させたことを検出し、検出結果を画像処理制御部１１に出力するようになっている。表示制御部１１ａは、アイセンサ１８の検出結果によって、画像の出力先を背面表示部１６とＦ表示部１７とで切換えるようになっていてもよい。
【００３５】
画像処理制御部１１には画像効果処理部１１ｃが設けられている。画像効果処理部１１ｃは、撮像画像に所定の画像効果処理を施すことができるようになっている。画像処理制御部１１は、画像効果処理を施した撮像画像を記録部１４に与えて記録するだけでなく、画像効果処理を施した後の撮像画像をスルー画として表示制御部１１ａに与えて表示させることができるようになっている。
【００３６】
画像効果処理部１１ｃには粒度設定部１１ｄが設けられており、粒度設定部１１ｄは、粒状撮影モードにおいて、粒度を設定することができるようになっている。例えば、粒度設定部１１ｄは、撮像画像に付加する粒状性ノイズの振幅や周期を設定することで、画像表面の濃淡によるドットのサイズ及び密度を変化させる。画像の同一領域については、粒度設定部１１ｄの設定によって粒状感が増減する。
【００３７】
本実施の形態においては、所望の粒状感が得られるか否かを確認するために、粒状感確認領域判定部１１ｅ及び粒状感効果表示生成部１１ｆが設けられている。確認領域判定部としての粒状感確認領域判定部１１ｅは、撮像部１２からの撮像画像に対する画像解析処理、画像効果処理部１１ｃによって粒状性ノイズが合成された撮像画像（合成画像）に対する画像解析処理並びに粒状性ノイズの合成前後の２つの撮像画像に対する画像解析処理のうちの少なくとも１つの画像解析処理によって、粒状感確認領域を判定することができる。
【００３８】
例えば、粒状感確認領域判定部１１ｅは、画像を構成する黒いドットのサイズ及び単位面積当たりの黒いドットの数を求めて、粒状感確認領域を判定してもよく、また、画像各部のコントラストによって粒状感確認領域を判定してもよい。
【００３９】
例えば、粒状感確認領域判定部１１ｅは、合成前の撮像画像については、所定の露出レベル範囲でコントラストが所定値よりも小さい領域を粒状感確認領域と判定してもよい。このような領域としては、例えば、所定のグレイレベルの画像部分で、陰影（濃淡）がなだらかに変化する画像部分等が考えられる。例えば、撮影範囲中に空や白い壁等が含まれる場合には、これらの画像部分が粒状感確認領域と判定されることがある。また、陰影の変化が極めて小さい領域よりも、多少陰影に変化がある領域の方が、粒状感付与による表現上の利点が大きい場合もあり、粒状感確認領域の判定に陰影の変化の度合いを含めてもよい。
【００４０】
また、例えば、粒状感確認領域判定部１１ｅは、合成後の撮像画像については、視認性が高い露出レベル範囲において、コントラストピークの数が所定の閾値よりも大きい領域を粒状感確認領域と判定してもよい。
【００４１】
また、粒状感確認領域判定部１１ｅは、合成前後の２つの撮像画像を用いて、粒状感確認領域と判定してもよい。例えば、粒状感確認領域判定部１１ｅは、これらの画像間において、所定振幅範囲のコントラストのピークの数の差又は比が所定の閾値よりも大きい領域を粒状感確認領域と判定してもよい。白飛び領域及び黒つぶれ領域ではコントラストは十分に小さく、また、視認性の良い露出レベルにおいて絵柄が細かい領域では、合成前後でコントラストピークの差又は比が比較的小さいものと考えられる。所定振幅範囲のコントラストのピークの数の差又は比が所定の閾値よりも大きい領域では、合成後の画像において、目立つドットの単位面積当たりの数が十分に多く、この領域において際立った粒状感が得られるものと考えられる。
【００４２】
また、例えば、所定の露出レベル範囲で陰影の変化が所定の範囲内の領域であっても、その領域の面積が比較的小さい場合には、効果的な粒状感が得られにくいことから、粒状感確認領域判定部１１ｅは、所定の面積以上の面積が得られる領域を粒状感確認領域の判定条件に加えてもよい。
【００４３】
更に、粒状感確認領域の判定に、γ補正の値を加えてもよい。図４は横軸に入力像信号レベルをとり縦軸に出力像信号レベルをとってγ補正を示すグラフである。図４の破線は通常時のγ補正特性を示し、実線は粒状撮影モードにおけるγ補正特性を示している。画像処理制御部１１は、通常時においては、図４の破線に示すように、所定の白レベル範囲及び黒レベル範囲を圧縮することで、適正な露出レベル範囲の画像部分のコントラストを改善する。しかし、粒状感効果を付与する画像効果処理時には、画像処理制御部１１は、図４の実線に示すように、圧縮する白レベル範囲及び黒レベル範囲を大きくする。従って、粒状性ノイズを加えても、これらの圧縮領域においては粒状感は殆ど目立たない。そこで、粒状感確認領域判定部１１ｅは、γ補正の傾きが大きい、中央の露出レベル範囲の画像部分を粒状感確認領域に設定してもよい。
【００４４】
上述した判定による粒状感確認領域は、撮像画像の特徴から際立った粒状感が得られる領域である。しかし、ユーザは、粒状感を付加したい領域、例えば、人物の顔の部分等について、粒状感を確認したい場合がある。そこで、粒状感確認領域判定部１１ｅは、所定の露出レベル範囲のオートフォーカスのポイント（ＡＦポイント）でコントラストが低い領域を粒状感確認領域に設定してもよい。また、例えば、粒状感確認領域判定部１１ｅは、人物の顔を検出して、顔の部分を粒状感確認領域に設定してもよく、また、画像中央部の領域を粒状感確認領域に設定してもよい。更に、粒状感確認領域判定部１１ｅは、ユーザがタッチ操作等によって指定した画像中の任意の領域（粒状感確認指定領域）を粒状感確認領域に設定してもよい。
【００４５】
粒状感確認領域判定部１１ｅは、上述した判定によって求めた１つの領域又は複数の領域を粒状感確認領域に設定する。粒状感確認領域判定部１１ｅが設定した粒状感確認領域の情報は粒状感効果表示生成部１１ｆに与えられる。粒状感効果表示生成部１１ｆは、粒状感確認領域の粒状感を表す表示を生成する。例えば、粒状感効果表示生成部１１ｆは、粒状感確認領域のドットのサイズ及び密度と同一の画像であって、十分な面積の画像を粒状感効果表示に用いる画像としてもよい。粒状感効果表示生成部１１ｆは、粒状感確認領域の実際の画像を用いて粒状感効果表示を生成してもよく、粒状感を模式的に示す模様の画像を用いて粒状感効果表示を生成してもよい。粒状感効果表示生成部１１ｆは、生成した粒状感効果表示を表示制御部１１ａに与える。表示制御部１１ａは、表示部１６，１７のスルー画上に、粒状感確認領域に対応する粒状感効果表示を表示させることができるようになっている。
【００４６】
また、本実施の形態においては、粒状感効果表示生成部１１ｆは、粒状感確認領域に対応する粒状感効果表示と同一の粒状感が得られる画像（以下、粒状感設定画像という）、粒状感効果表示よりも粗い粒状感が得られる画像（以下、単に粗い画像という）及び粒状感効果表示よりも細かい粒状感が得られる画像（以下、単に細かい画像という）を生成することもできるようになっている。粒状感効果表示生成部１１ｆは、生成したこれらの粒状感設定画像、粗い画像及び細かい画像を表示制御部１１ａに与える。
【００４７】
表示制御部１１ａは、粒状感効果表示生成部１１ｆから与えられた画像に基づいて、粒状感を調整するための表示（以下、粒度調整表示）を生成して、表示部１６，１７に表示させることができるようになっている。粒度調整表示では、粒状感確認領域に対応する現在の粒状感を示す粒状感設定画像と、粒状感効果表示の粒度を変化させた場合に得られる粗い画像及び細かい画像とを示すことができ、ユーザは粒度調整表示を見ることで、粒度の調整によりどのような粒状感が得られるかを、粒度の調整前に事前に確認することができる。
【００４８】
本実施の形態においては、例えば、ダイヤル操作部２３ａ，２３ｂ等によって粒度の調整を行うことができるようになっている。この場合において、粒状感効果表示生成部１１ｆは、ダイヤル操作部２３ａ，２３ｂの操作方向と、粒度調整表示中に含まれる粒状感が異なる複数の画像の表示方向とを対応させるようになっている。これにより、ユーザは直感的な操作により粒度を指定することができるようになっている。例えば、画面水平方向に粗い画像、粒状感設定画像及び細かい画像が直線的に配列された粒度調整表示を採用することで、ダイヤル操作部２３ａ，２３ｂの操作方向と、粒度の調整方向とを対応付けることができ、直感的な操作が可能となる。
【００４９】
ユーザによる粒度の調整操作は、操作判定部１１ｂによって判定される。操作判定部１１ｂは、ユーザの調整操作に基づく操作信号を粒状感効果制御部１１ｇに与える。粒状感効果制御部１１ｇは、ユーザの粒度の調整操作に対応する粒度を設定するように、粒度設定部１１ｄを制御するようになっている。粒度設定部１１ｄは、粒状感効果制御部１１ｇに制御されて、粒度を変更する。なお、粒状感効果表示生成部１１ｆは、ユーザにより粒度の調整操作が発生した場合には、粒状感効果表示を更新するようになっており、表示部１６，１７には、調整後の粒状感効果表示及び粒度調整表示が表示されるようになっている。
【００５０】
次に、このように構成された実施の形態の動作について図５乃至図１０を参照して説明する。図５は実施の形態の動作を説明するためのフローチャートである。図５はカメラ制御を示している。また、図６は撮影の様子を説明するための説明図である。
【００５１】
撮影機器１０の電源が投入されると、画像処理制御部１１は、図５のステップＳ１において粒状撮影モードが指示されたか否かを判定する。粒状撮影モードが指示されていない場合には、画像処理制御部１１は、ステップＳ２１において、他の撮影モードが指定されているか否かを判定し、指定されている場合には処理をステップＳ２２に移行して、指定されている撮影モードを実行する。また、再生モードが指定されている場合には、ステップＳ２３からステップＳ２４に移行して指定された画像の再生を行う。画像処理制御部１１は、ステップＳ２５において再生画像の変更が指示されたものと判定した場合には、ステップＳ２６において画像を変更して再生を行う。また、画像処理制御部１１は、ステップＳ２３において再生モードが指示されていない場合は、ステップＳ２７において画像ファイルの取得を行う。
【００５２】
図６に示すように、ユーザは例えば左手２５の指でリング操作部２１の部分を挟み、左右の手２５，２６で筐体１０ａを支持しながらレンズ部１２ａを被写体に向けて構える。粒状撮影モードが指示されると、画像処理制御部１１は、撮像部１２に被写体を撮像させると共に、ステップＳ２において、粒状感効果表示が表示中であるか否かを判定する。粒状撮影モードの開始直後は、撮像画像に粒状感を付与するフィルタ効果処理が施されておらず、粒状感効果表示も表示されていないので、画像処理制御部１１は、ステップＳ３において粒度設定部１１ｄにより初期粒度を設定させる。これにより、画像効果処理部１１ｃによって、撮像画像には初期粒度で粒状感を得る画像効果処理が施される。画像処理制御部１１は、ステップＳ４においてアイセンサ１８の検出結果に基づいてスルー画の表示を行う。即ち、画像処理制御部１１は、アイセンサ１８の検出結果によってユーザの眼がファインダ部１７ａを覗き込んでいることが示された場合には、スルー画をＦ表示部１７に表示させ、そうでない場合にはスルー画を背面表示部１６に表示させる。
【００５３】
画像処理制御部１１は、次のステップＳ５において、粒状感確認領域が既に設定されているか否かを判定する。粒状感確認領域が設定されていない場合には、画像処理制御部１１の粒状感確認領域判定部１１ｅは、ステップＳ６において粒状感確認領域を判定し設定する。
【００５４】
図７は図５中のステップＳ６における粒状感確認領域の設定フローの一例を示すフローチャートである。
【００５５】
粒状感確認領域判定部１１ｅは、ステップＳ４１において撮像画像中に粒状感が際立つ領域が存在するか否かを判定する。粒状感確認領域判定部１１ｅは、上述したように、例えば、所定の露出レベル範囲でコントラストが比較的低い領域を粒状感が際立つ領域として求めてもよい。なお、このような部分は、露出調節やピント合わせで変わるが、そのような操作の結果を加味しても良い。また、こうした調整を行って、粒状感の変化があった部分を「粒状感が際立つ部分」として判定しても良い。具体的には、図３（ｂ）のようなパターンの信号の起伏の有無などで判定する。パターンではなく、白っぽい粒状パターンの数で見ても良い。粒状感確認領域判定部１１ｅは、このような領域が存在する場合には、次のステップＳ４２において、当該領域の面積が所定の閾値よりも大きいか否かを判定する。これは視認性や、効果の顕著さや、大胆な効果付与の意図を考慮したもので、これにこだわるものではない。粒状感確認領域判定部１１ｅは、当該領域の面積が閾値よりも大きい場合には、当該領域中に陰影がなだからに変化する部分があるか否かを判定する（ステップＳ４３）。粒状感確認領域判定部１１ｅは、陰影がなだからに変化する部分がある場合には、当該部分を粒状感確認領域に設定する（ステップＳ４４）。また、粒状感確認領域判定部１１ｅは、陰影がなだからに変化する部分が存在しない場合には、ステップＳ４１において検出した領域のうち陰影変化が殆どない領域を粒状感確認領域に設定する（ステップＳ４５）。これも、作画意図によっては、ある領域だけに効果付与したい場合もあり、これにこだわる必要はない。つまり、ここでの判定は、ユースシーンや機器設計のコンセプトによって取捨選択したり順番を変更してもよい。
【００５６】
粒状感が際立つと判定した領域の面積が比較的小さい場合には、粒状感の確認は容易ではないので、粒状感確認領域判定部１１ｅは、粒状感が際立つ部分が存在しない場合及び粒状感が際立つ部分であっても面積が比較的小さい場合には、処理をステップＳ４６に移行して、視認性の良いＡＦポイントが存在するか否かを判定する。視認性の良いＡＦポイントが存在する場合には、粒状感確認領域判定部１１ｅは、当該ＡＦポイントを粒状感確認領域に設定する（ステップＳ４４）。粒状感確認領域判定部１１ｅは、視認性の良いＡＦポイントが存在しない場合には、ステップＳ４７において画像の中央領域を粒状感確認領域に設定する。
【００５７】
なお、図７は一例であり、他の設定フローによって粒状感確認領域を設定してもよい。例えば、視認性の良いＡＦポイントの条件を優先させ、粒状感が際立つ部分があったとしても、視認性の良いＡＦポイントを粒状感確認領域に設定してもよい。また、例えば、人物の顔の領域を粒状感確認領域に設定してもよい。
【００５８】
粒状感確認領域判定部１１ｅの判定結果は粒状感効果表示生成部１１ｆに与えられる。粒状感効果表示生成部１１ｆは、ステップＳ７において、設定された粒状感確認領域に対応する粒状感効果表示及び粒度調整表示を生成する。即ち、粒状感効果表示生成部１１ｆは、粒状感確認領域のドットのサイズ及び密度と同一の画像であって、十分な面積の画像を粒状感効果表示として生成する。また、粒状感効果表示生成部１１ｆは、生成した粒状感効果表示と同一の粒状感が得られる粒状感設定画像、粗い画像及び細かい画像を生成して、表示制御部１１ａに与える。表示制御部１１ａは、粒状感効果表示生成部１１ｆの出力に基づいて、表示部１６，１７の一方の表示画面上に粒状感効果表示及び粒度調整表示を表示させる。
【００５９】
図８は粒状撮影モード時の画面表示を説明するための説明図である。図８は、撮影機器１０のファインダ部１７ａの近傍に配置されたアイセンサ１８の検出結果によって、スルー画である画像３１が筐体１０ａの背面の略全域に設けられた背面表示部１６の表示画面１６ｂ上に表示されている状態を示している。画像３１中には、比較的暗い背景の画像３２と雲等の比較的明るい背景の画像３３と人物の画像３４とが含まれる。
【００６０】
本実施の形態においては、画像３１に重ねて、粒状感効果表示４１及び粒度調整表示４３が表示されている。なお、粒状感効果表示４１は、粒状感確認領域を示す太枠内に表示されている。図８の例は、視認性の良い露出レベルで撮像された人物の画像３４の部分が粒状感確認領域に設定されて、この粒状感確認領域のドットのサイズ及び密度と同一の画像が粒状感効果表示４１として示されている。また、粒度調整表示４３は、中央に、粒状感効果表示４１と同一の粒状感が得られる粒状感設定画像４３ｂ、画像４３ｂの左側に粗い画像４３ａ、画像４３ｂの右側に細かい画像４３ｃが配置されたものである。粗い画像４３ａは左向きの矢印の枠表示内に表示され、細かい画像４３ｃは右向きの矢印の枠表示内に表示される。
【００６１】
この粒度調整表示４３によって、ユーザは粒度の設定を変更した場合に、粒状感確認領域がどの様な粒状感の画像になるかを粒度の設定変更前に確認することができる。
【００６２】
ユーザは粒状感確認領域判定部１１ｅが設定した粒状感確認領域を、例えば画像中の位置を指定するタッチ操作によって変更することができる。画像処理制御部１１は、ステップＳ８においてこのタッチ操作の有無を判定する。このタッチ操作は、操作判定部１１ｂによって判定され、粒状感確認領域判定部１１ｅは、タッチ操作に基づく画像上の位置（タッチ点）を粒状感確認領域に設定する。粒状感効果表示生成部１１ｆは、新たに設定された粒状感確認領域に対応して、粒状感効果表示及び粒状感設定画像、粗い画像及び細かい画像を生成する。こうして、更新された粒状感確認領域に基づいて、粒状感効果表示４１及び粒度調整表示４３が更新されて表示される（ステップＳ１１）。
【００６３】
図９はこの場合の画面表示の表示例を示す説明図である。ユーザが左手指２５ａによって表示画面１６ｂ上をタッチすることで、タッチ点が枠表示によって示される粒状感確認領域に設定されて、枠内に粒状感効果表示４５が表示される。また、画像３１上には、ユーザの指定に基づく粒状感確認領域に対応した粒状感設定画像４３ｂ、粗い画像４３ａ及び細かい画像４３ｃを含む粒度調整表示４３も新たに表示される。
【００６４】
また、ユーザはタッチ操作によって指定するタッチ点をダイヤル操作等によって修正することができる。例えば、ユーザが右手２６の人差し指２６ｂによってダイヤル操作部２３ｂを回転させると、粒状感確認領域判定部１１ｅは、ステップＳ９からステップＳ１０に処理を移行して、タッチ点を画面垂直方向に移動させる。更に、ユーザが親指２６ａによってダイヤル操作部２３ａを回転させると、粒状感確認領域判定部１１ｅは、タッチ点を画面水平方向に移動させる。こうして、粒状感確認領域を移動させることができ、ステップＳ１１では、修正された粒状感確認領域に対応した粒状感効果表示４１及び粒度調整表示４３が表示される（ステップＳ１１）。
【００６５】
粒状感効果制御部１１ｇは、ステップＳ１２において、ユーザによる粒度の調整操作が行われたか否かを判定する。例えば、ユーザが右手２６の親指２６ａによってダイヤル操作部２３ａを回転させる操作によって、粒状感効果制御部１１ｇは、ユーザが粒度の調整を行ったものと判定することができる。例えば、粒状感効果制御部１１ｇは、ユーザが左手親指２６ａを左側に動かしてダイヤル操作部２３ａを時計方向に回転させた場合には、現在の画像よりも粗い画像が得られるように粒度の調整操作を行ったものと判定し、ユーザが左手親指２６ａを右側に動かしてダイヤル操作部２３ａを反時計方向に回転させた場合には、現在の画像よりも細かい画像が得られるように粒度の調整操作を行ったものと判定してもよい。
【００６６】
このような粒度の調整操作が行われると、粒状感効果制御部１１ｇは、粒度設定部１１ｄを制御してユーザ操作に応じて粒度を変化させる（ステップＳ１３）。ちなみに、前述のように、ここでの操作によって、粒状感が変化する部分を図７のステップＳ４１で判定するようにしてもよく、この場合、ここで操作前後の画像を比較すればよい。この比較は、画像上に、特定の周波数でパターンが発生しているかなどで判定する。こうして、画像効果処理部１１ｃは、ユーザ設定に応じた粒度で、撮像画像に画像効果処理を施す。
【００６７】
図１０は粒度の調整操作に対応した粒状性ノイズの一例を示す説明図である。また、図１１は粒状撮影モードにおいて粒度を変化させた場合の画像を説明するための説明図である。なお、図１１はハッチングの種類によって画質の粗さ（粒状感）の変化を示しており、図１１（ａ）の画像３１ａが最も粗い画像で、次に図１１（ｂ）の画像３１ｂが粗く、図１１（ｃ）の画像３１ｃは、最も滑らかな画像であることを示している。図１０（ａ）乃至（ｃ）はそれぞれ図１１（ｃ）乃至（ａ）に対応する。
【００６８】
図１０の例は、粒度調整操作に応じて粒状性ノイズの振幅を変化させたものであり、図１０（ａ）の粒状性ノイズの振幅が最も小さく、図１０（ｂ）の粒状性ノイズの振幅は図１０（ａ）の粒状性のノイズの振幅よりも大きく、図１０（ｃ）の粒状性ノイズの振幅は最も大きい。
【００６９】
例えば、画像効果処理後の現在のスルー画が図１０（ｂ）の粒状性ノイズか付加されて得られた図１１の画像３１ｂであるものとすると、ユーザがダイヤル操作部２３ａを時計方向に回転させることで図１０（ｃ）の粒状性ノイズが付加されてスルー画はより粗い画像３１ａに変化し、逆に、ダイヤル操作部２３ａを反時計方向に回転させることで図１０（ａ）の粒状性ノイズが付加されてスルー画は滑らかな画像３１ｃに変化する。
【００７０】
また、ユーザの粒度の調整操作によって、画像効果処理が変化すると、粒状感効果表示生成部１１ｆは、粒状感確認領域に対応した粒状感効果表示及び粒状感設定画像、粗い画像及び細かい画像を生成する。こうして、更新された合成後の撮像画像中の粒状感確認領域に基づいて、粒状感効果表示４１及び粒度調整表示４３が更新されて表示される（ステップＳ１３）。
【００７１】
画像処理制御部１１は、ステップＳ１４において撮影操作の有無を判定する。例えば、ユーザがシャッタボタン２２を押下操作することで、画像処理制御部１１は撮影操作が行われたものと判定して撮影及び記録を行う（ステップＳ１５）。こうして、画像効果処理部１１ｃによって画像効果処理が施された撮像画像が記録部１４に記録される。
【００７２】
このように本実施の形態においては、粒状感の効果を確認するのに最適な画像中の領域（粒状感確認領域）として、例えば、粒状感が際立つ領域、ユーザが指定する領域或いは画面中央やＡＦポイントの注目領域等を判定して設定し、この粒状感確認領域について粒状感を示す粒状感効果表示を表示させており、比較的小型の表示画面上に撮像画像を表示する場合等であっても、粒状感付与の効果を簡単に確認することができる。また、画像効果処理の設定（粒度）を変更したと仮定した場合に得られる画像の粒状感を示す表示（粒度調整表示）を表示しており、設定変更の効果を事前に確認することも可能である。また、粒度調整表示中の粒状感が異なる画像の配列の方向と粒度を調整する操作部の移動や変位方向とを対応させることにより、より直感的な操作によって、粒度の調整が可能である。
【００７３】
（変形例）
図１２は変形例を示す説明図である。図１２の変形例は、粒状感効果表示を十分な視認性が得られるように大きなサイズで表示するものである。また、この場合において、スルー画が見にくくなることを防止するために、図１２の変形例は、粒状感効果表示及び粒度調整表示を、スルー画に重ねることなく表示するものである。
【００７４】
図１２に示すように、表示画面１６ｂ上には、スルー画である撮像画像３１を表示するスルー画表示領域１６ｃと、粒状感効果表示４７を表示する領域と、粒度調整表示４３を表示する領域とが設けられる。また、画像３１上には、現在の粒状感確認領域を示す枠表示４６が表示されている。
【００７５】
粒状感効果表示生成部１１ｆは、枠表示４６にて示す粒状感確認領域に対応した粒状感効果表示及び粒状感設定画像、粗い画像及び細かい画像を生成する。こうして、表示画面１６ｂ上には、粒状感効果表示４７及び粒度調整表示４３表示される。
【００７６】
なお、図１２の例は、粒状感確認領域内において粒状感が変化している。粒状感効果表示４７はこの粒状感の変化を示すものとなっており、下側の画質に比べて上側の画質は粗い画像になっていることを示している。
【００７７】
このように、本変形例においても、実施の形態と同様の効果が得られると共に、本変形例では粒状感効果表示、粒度調整表示が見やすく、粒状感の確認が容易であるという利点がある。
【００７８】
さらに、本発明の実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよい。また、視認性を上げる用途の画像処理のかけ具合を選択する場合には、どこを基準に画像処理の強さを変えるかを迅速に判断するための技術として応用可能であり、内視鏡、顕微鏡のような産業用、医療用の光学機器でもよい。こうした用途では、観察や診断が重要で、記録用画像は、迅速に適切なものを得ることが好ましい。この場合は、観察、診断者が確認時に利用した領域を優先し、確認領域となってもよい。
【００７９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【００８０】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００８１】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストールしたり、あるいは記録媒体からコンピュータにインストールすることで、容易に本実施の形態の画像効果処理支援装置を実現することができる。
【符号の説明】
【００８２】
１０…撮影機器、１１…画像処理制御部、１１ａ…表示制御部、１１ｂ…操作判定部、１１ｃ…画像効果処理部、１１ｄ…粒度設定部、１１ｅ…粒状感確認領域判定部、１１ｆ…粒状感効果表示生成部、１１ｇ…粒状感効果制御部、１２…撮像部、１３…操作部、１４…記録部、１６…背面表示部、１７…Ｆ表示部。
【図１】
2017005626.tif 000003
【図３】
2017005626.tif 000004
【図４】
2017005626.tif 000005
【図５】
2017005626.tif 000006
【図７】
2017005626.tif 000007
【図１０】
2017005626.tif 000008
【図２】
2017005626.tif 000009
【図６】
2017005626.tif 000010
【図８】
2017005626.tif 000011
【図９】
2017005626.tif 000012
【図１１】
2017005626.tif 000013
【図１２】
2017005626.tif 000014